(57)【要約】【課題】ブロー成形体の膨張が妨げられることを抑制することができる樹脂成形品の成形方法及び成形装置を提供する。【解決手段】パリソンをブロー成形して形成される中空のブロー成形体２３の内部に発泡性樹脂３１を注入した後に、成形型１０のキャビティの容積を拡大させるように成形型のコア部１３を型開き方向に所定量移動し、前記発泡性樹脂の発泡を促進させて前記ブロー成形体を膨張させるようにした樹脂成形品２４の成形において、前記成形型の前記コア部を型開き方向に所定量移動して前記ブロー成形体を膨張させる際に、前記ブロー成形体の膨張に伴って前記ブロー成形体の延伸される部分に対応する前記成形型の型面部が、前記成形型の他の型面部より高い温度に設定される。【選択図】図８
2008155401.tif 000002
【特許請求の範囲】
【請求項１】
ソリッド樹脂からなるパリソンを型開きした成形型内に垂下させ、前記パリソンを挟んで前記成形型を型閉めした後に前記パリソンをブロー成形して中空のブロー成形体を形成し、該ブロー成形体の形成後に前記ブロー成形体内に発泡性樹脂を注入し、該発泡性樹脂の注入後に、前記成形型のキャビティの容積を拡大させるように前記成形型のコア部を所定量移動させることにより、前記発泡性樹脂の発泡を促進させて前記ブロー成形体を膨張させるようにした樹脂成形品の成形方法であって、
前記コア部を移動して前記ブロー成形体を膨張させる際に、前記ブロー成形体の膨張に伴って前記ブロー成形体の延伸される部分に対応する前記成形型の型面部が、前記成形型の他の型面部より高い温度に設定されていることを特徴とする樹脂成形品の成形方法。
【請求項２】
前記パリソンを挟んで前記成形型を型閉めする型閉め時から前記成形型のコア部を所定量移動させたコア移動終了時までの間において、前記ブロー成形体の延伸される部分に対応する前記成形型の型面部が、前記成形型の他の型面部より高い温度に設定されていることを特徴とする請求項１に記載の樹脂成形品の成形方法。
【請求項３】
前記成形型のコア部を所定量移動させたコア移動終了時から前記樹脂成形品が前記成形型から取り出される成形品脱型時までの間において、前記ブロー成形体の延伸される部分に対応する前記成形型の型面部が、前記型閉め時から前記コア移動終了時までの間における前記成形型の前記型面部の温度より低い温度に設定されていることを特徴とする請求項１又は２に記載の樹脂成形品の成形方法。
【請求項４】
前記発泡性樹脂に、該発泡性樹脂を補強する補強繊維が含有されていることを特徴とする請求項１〜３の何れか一に記載の樹脂成形品の成形方法。
【請求項５】
前記発泡性樹脂に、物理発泡剤が含有されていることを特徴とする請求項１〜４の何れか一に記載の樹脂成形品の成形方法。
【請求項６】
前記物理発泡剤が、超臨界状態の流体であることを特徴とする請求項５に記載の樹脂成形品の成形方法。
【請求項７】
開閉可能な成形型と、型開きされた前記成形型内にソリッド樹脂からなるパリソンを押し出す押出ヘッドと、前記パリソンを挟んで前記成形型を型閉めした後に前記パリソン内に加圧流体を供給し中空のブロー成形体を形成する加圧流体供給手段と、前記ブロー成形体内に発泡性樹脂を注入する注入手段と、前記成形型のキャビティの容積を拡大させるように前記成形型のコア部を移動させるコア移動手段とを備え、前記ブロー成形体の内部に前記発泡性樹脂を注入した後に、前記成形型のキャビティの容積を拡大させるように前記コア部を移動し、前記発泡性樹脂の発泡を促進させて前記ブロー成形体を膨張させるようにした樹脂成形品の成形装置であって、
前記成形型の型面部の温度調整を行う温調手段と、
前記成形型の前記型面部を所定温度に設定するように前記温調手段の作動を制御する制御手段と、
をさらに備え、
前記制御手段は、前記コア部を移動して前記ブロー成形体を膨張させる際に、前記ブロー成形体の膨張に伴って前記ブロー成形体の延伸される部分に対応する前記成形型の型面部を、前記成形型の他の型面部より高い温度に設定するように前記温調手段の作動を制御することを特徴とする樹脂成形品の成形装置。
【請求項８】
前記温調手段は、前記成形型内を流通する温調媒体を備え、
前記制御手段は、前記コア部を移動して前記ブロー成形体を膨張させる際に、前記ブロー成形体の膨張に伴って前記ブロー成形体の延伸される部分に対応する前記成形型の型面部の温度調整を行う前記温調媒体の温度を、前記成形型の他の型面部の温度調整を行う前記温調媒体の温度より高い温度に設定するように前記温調手段の作動を制御することを特徴とする請求項７に記載の樹脂成形品の成形装置。
【請求項９】
前記温調手段は、前記コア部を移動して前記ブロー成形体を膨張させる際に、前記ブロー成形体の膨張に伴って前記ブロー成形体の延伸される部分に対応する前記成形型の型面部を、前記成形型の他の型面部より高い温度に加熱する加熱手段を備えていることを特徴とする請求項７に記載の樹脂成形品の成形装置。
【請求項１０】
前記制御手段は、前記パリソンを挟んで前記成形型を型閉めする型閉め時から前記成形型の前記コア部を移動させたコア移動終了時までの間において、前記ブロー成形体の延伸される部分に対応する前記成形型の型面部を、前記成形型の他の型面部より高い温度に設定するように前記温調手段の作動を制御することを特徴とする請求項７〜９の何れか一に記載の樹脂成形品の成形装置。
【請求項１１】
前記制御手段は、前記成形型のコア部を移動させたコア移動終了時から前記樹脂成形品が前記成形型から取り出される成形品脱型時までの間において、前記ブロー成形体の延伸される部分に対応する前記成形型の型面部を、前記型閉め時から前記コア移動終了時までの間における前記成形型の前記型面部の温度より低い温度に設定するように前記温調手段の作動を制御することを特徴とする請求項７〜１０の何れか一に記載の樹脂成形品の成形装置。
【請求項１２】
前記成形型は、固定型と可動型とを有し、
前記固定型及び前記可動型の何れか一方の型は、前記成形型を型閉めする際に前記固定型及び前記可動型の他方の型と型閉めするとともに前記成形型の前記コア部の外周に位置する外周部と、前記成形型のキャビティの容積を拡大させるように前記外周部に対し移動可能な前記コア部とを備え、
前記温調手段は、前記ブロー成形体の延伸される部分に対応する前記外周部の型面部を、前記成形型の他の型面部より高い温度にするように前記外周部の型面部の温度調整を行うことを特徴とする請求項７〜１１の何れか一に記載の樹脂成形品の成形装置。
【発明の詳細な説明】
【技術分野】
【０００１】
本発明は、樹脂成形品の成形方法及び成形装置に関する。
【背景技術】
【０００２】
例えば自動車用部品など種々の工業用部品においては、軽量性や断熱性等の優れた特性を有する発泡樹脂成形品が広く使用されている。しかし、発泡性樹脂を成形型内に注入し発泡成形させた樹脂成形品においては、成形品の最表面であるスキン層において形成された気泡が破泡して、外観不良等の問題を引き起こす場合がある。
【０００３】
これに対し、発泡性樹脂からなる樹脂成形品の表面性を向上させるものとして、成形型内に溶融状態の樹脂からなるパリソンを垂下させた後に、パリソンを成形型で挟み込んで空気等の気体を吹き込み成形させるようにした中空成形（所謂ブロー成形）と発泡成形とを組み合わせた樹脂成形品の成形方法が知られている。例えば特許文献１には、熱可塑性樹脂発泡層を有するパリソンをブロー成形してなる中空成形体の内部に熱可塑性樹脂発泡体片を充填して、該発泡体片を加熱して該発泡体片を相互に融着させた表皮付発泡成形体及びその製造方法が開示されている。
【０００４】
また、発泡性樹脂を用いた樹脂成形品の成形方法としては、樹脂に発泡剤を含有させた発泡性樹脂を固定型と可動型とでなる一対の成形型のキャビティ内に注入した後に、可動型を型開き方向に移動させてキャビティの容積を拡大することにより、発泡性樹脂の発泡を促進させるようにした成形方法（所謂コアバック法）も知られている。
【特許文献１】特開２００４ー２８４１４９号公報
【発明の開示】
【発明が解決しようとする課題】
【０００５】
ところで、パリソンをブロー成形してなるブロー成形体の内部に発泡性樹脂を注入して発泡させる際に、該発泡性樹脂の発泡をコアバック法によって促進させるようにして成形された樹脂成形品においては、成形型を型開き方向に開いて成形型のキャビティの容積を拡大し、発泡性樹脂の発泡を促進させてブロー成形体を膨張させる際に、ブロー成形体が成形型によって冷却されて伸びず、ブロー成形体の膨張が妨げられ、例えばコーナ部でのダレなどの外観不良等の問題を引き起こす畏れがある。
【０００６】
そこで、この発明は、前記技術的課題に鑑みてなされたものであり、発泡性樹脂の発泡を促進させてブロー成形体を膨張させることができるとともに、ブロー成形体の膨張に伴ってブロー成形体の延伸される部分が成形型によって冷却されブロー成形体の膨張が妨げられること抑制することができる樹脂成形品の成形方法及び成形装置を提供することを目的とする。
【課題を解決するための手段】
【０００７】
このため、本願の請求項１に係る樹脂成形品の成形方法は、ソリッド樹脂からなるパリソンを型開きした成形型内に垂下させ、前記パリソンを挟んで前記成形型を型閉めした後に前記パリソンをブロー成形して中空のブロー成形体を形成し、該ブロー成形体の形成後に前記ブロー成形体内に発泡性樹脂を注入し、該発泡性樹脂の注入後に、前記成形型のキャビティの容積を拡大させるように前記成形型のコア部を所定量移動させることにより、前記発泡性樹脂の発泡を促進させて前記ブロー成形体を膨張させるようにした樹脂成形品の成形方法であって、前記コア部を移動して前記ブロー成形体を膨張させる際に、前記ブロー成形体の膨張に伴って前記ブロー成形体の延伸される部分に対応する前記成形型の型面部が、前記成形型の他の型面部より高い温度に設定されていることを特徴としたものである。
【０００８】
また、本願の請求項２に係る発明方法は、請求項１に係る発明方法において、前記パリソンを挟んで前記成形型を型閉めする型閉め時から前記成形型のコア部を所定量移動させたコア移動終了時までの間において、前記ブロー成形体の延伸される部分に対応する前記成形型の型面部が、前記成形型の他の型面部より高い温度に設定されていることを特徴としたものである。
【０００９】
更に、本願の請求項３に係る発明方法は、請求項１又は２に係る発明方法において、前記成形型のコア部を所定量移動させたコア移動終了時から前記樹脂成形品が前記成形型から取り出される成形品脱型時までの間において、前記ブロー成形体の延伸される部分に対応する前記成形型の型面部が、前記型閉め時から前記コア移動終了時までの間における前記成形型の前記型面部の温度より低い温度に設定されていることを特徴としたものである。
【００１０】
また更に、本願の請求項４に係る発明方法は、請求項１〜３の何れか一に係る発明方法において、前記発泡性樹脂に、該発泡性樹脂を補強する補強繊維が含有されていることを特徴としたものである。
【００１１】
また更に、本願の請求項５に係る発明方法は、請求項１〜４の何れか一に係る発明方法において、前記発泡性樹脂に、物理発泡剤が含有されていることを特徴としたものである。
【００１２】
また更に、本願の請求項６に係る発明方法は、請求項５に係る発明方法において、前記物理発泡剤が、超臨界状態の流体であることを特徴としたものである。
【００１３】
また更に、本願の請求項７に係る樹脂成形品の成形装置は、開閉可能な成形型と、型開きされた前記成形型内にソリッド樹脂からなるパリソンを押し出す押出ヘッドと、前記パリソンを挟んで前記成形型を型閉めした後に前記パリソン内に加圧流体を供給し中空のブロー成形体を形成する加圧流体供給手段と、前記ブロー成形体内に発泡性樹脂を注入する注入手段と、前記成形型のキャビティの容積を拡大させるように前記成形型のコア部を移動させるコア移動手段とを備え、前記ブロー成形体の内部に前記発泡性樹脂を注入した後に、前記成形型のキャビティの容積を拡大させるように前記コア部を移動し、前記発泡性樹脂の発泡を促進させて前記ブロー成形体を膨張させるようにした樹脂成形品の成形装置であって、前記成形型の型面部の温度調整を行う温調手段と、前記成形型の前記型面部を所定温度に設定するように前記温調手段の作動を制御する制御手段と、をさらに備え、前記制御手段は、前記コア部を移動して前記ブロー成形体を膨張させる際に、前記ブロー成形体の膨張に伴って前記ブロー成形体の延伸される部分に対応する前記成形型の型面部を、前記成形型の他の型面部より高い温度に設定するように前記温調手段の作動を制御することを特徴としたものである。
【００１４】
また更に、本願の請求項８に係る発明は、請求項７に係る発明において、前記温調手段は、前記成形型内を流通する温調媒体を備え、前記制御手段は、前記コア部を移動して前記ブロー成形体を膨張させる際に、前記ブロー成形体の膨張に伴って前記ブロー成形体の延伸される部分に対応する前記成形型の型面部の温度調整を行う前記温調媒体の温度を、前記成形型の他の型面部の温度調整を行う前記温調媒体の温度より高い温度に設定するように前記温調手段の作動を制御することを特徴としたものである。
【００１５】
また更に、本願の請求項９に係る発明は、請求項７に係る発明において、前記温調手段は、前記コア部を移動して前記ブロー成形体を膨張させる際に、前記ブロー成形体の膨張に伴って前記ブロー成形体の延伸される部分に対応する前記成形型の型面部を、前記成形型の他の型面部より高い温度に加熱する加熱手段を備えていることを特徴としたものである。
【００１６】
また更に、本願の請求項１０に係る発明は、請求項７〜９の何れか一に係る発明において、前記制御手段は、前記パリソンを挟んで前記成形型を型閉めする型閉め時から前記成形型の前記コア部を移動させたコア移動終了時までの間において、前記ブロー成形体の延伸される部分に対応する前記成形型の型面部を、前記成形型の他の型面部より高い温度に設定するように前記温調手段の作動を制御することを特徴としたものである。
【００１７】
また更に、本願の請求項１１に係る発明は、請求項７〜１０の何れか一に係る発明において、前記制御手段は、前記成形型のコア部を移動させたコア移動終了時から前記樹脂成形品が前記成形型から取り出される成形品脱型時までの間において、前記ブロー成形体の延伸される部分に対応する前記成形型の型面部を、前記型閉め時から前記コア移動終了時までの間における前記成形型の前記型面部の温度より低い温度に設定するように前記温調手段の作動を制御することを特徴としたものである。
【００１８】
また更に、本願の請求項１２に係る発明は、請求項７〜１１の何れか一に係る発明において、前記成形型は、固定型と可動型とを有し、前記固定型及び前記可動型の何れか一方の型は、前記成形型を型閉めする際に前記固定型及び前記可動型の他方の型と型閉めするとともに前記成形型の前記コア部の外周に位置する外周部と、前記成形型のキャビティの容積を拡大させるように前記外周部に対し移動可能な前記コア部とを備え、前記温調手段は、前記ブロー成形体の延伸される部分に対応する前記外周部の型面部を、前記成形型の他の型面部より高い温度にするように前記外周部の型面部の温度調整を行うことを特徴としたものである。
【発明の効果】
【００１９】
本願の請求項１に係る樹脂成形品の成形方法によれば、発泡性樹脂の発泡を促進させてブロー成形体を膨張させることができるとともに、ブロー成形体の膨張に伴ってブロー成形体の延伸される部分が成形型によって冷却されブロー成形体の膨張が妨げられることを抑制することができ、表面性及び物性に優れた樹脂成形品を容易に且つ確実に成形することができる。
【００２０】
また、本願の請求項２に係る発明方法によれば、成形型のコア部を移動させる前においても、ブロー成形体の膨張に伴ってブロー成形体の延伸される部分が冷却されることを抑制することができ、前記効果をより有効に奏することができる。
【００２１】
更に、本願の請求項３に係る発明方法によれば、樹脂成形品を成形した後に樹脂成形品の冷却を促進させることができ、樹脂成形品を成形する成形サイクルタイムを短縮させることが可能である。
【００２２】
また更に、本願の請求項４に係る発明方法によれば、発泡性樹脂に含有された補強繊維のスプリングバック現象によって発泡性樹脂の発泡をさらに促進させることが可能である。補強繊維が含有された発泡性樹脂を用いて成形される樹脂成形品において、樹脂成形品の表面に補強繊維が露出して表面外観を悪化させることがなく、前記効果をより有効に奏することができる。
【００２３】
また更に、本願の請求項５に係る発明方法によれば、発泡性樹脂に、物理発泡剤が含有されていることにより、発泡セル径の微細な樹脂成形品を成形することができ、樹脂成形品において曲げ剛性等の物性をさらに向上させることができる。
【００２４】
また更に、本願の請求項６に係る発明方法によれば、物理発泡剤が、超臨界状態の流体であることにより、さらに微細な発泡セルを有する樹脂成形品を成形することができ、前記効果をさらに有効に奏することができる。
【００２５】
また更に、本願の請求項７に係る樹脂成形品の成形装置によれば、発泡性樹脂の発泡を促進させてブロー成形体を膨張させることができるとともに、ブロー成形体の膨張に伴ってブロー成形体の延伸される部分が成形型によって冷却されブロー成形体の膨張が妨げられることを抑制することができ、表面性及び物性に優れた樹脂成形品を容易に且つ確実に成形することができる。
【００２６】
また更に、本願の請求項８に係る発明によれば、温調手段は、成形型内を流通する温調媒体を備えていることにより、比較的簡単な構造によってブロー成形体の延伸される部分に対応する成形型の型面部の温度調整を行うことが可能である。
【００２７】
また更に、本願の請求項９に係る発明によれば、温調手段は、成形型の型面部を加熱する加熱手段を備えていることにより、比較的簡単な構造によってブロー成形体の延伸される部分に対応する成形型の型面部の温度調整を行うことができる。
【００２８】
また更に、本願の請求項１０に係る発明によれば、成形型のコア部を移動させる前においても、ブロー成形体の膨張に伴ってブロー成形体の延伸される部分が冷却されることを抑制することができ、前記効果をより有効に奏することができる。
【００２９】
また更に、本願の請求項１１に係る発明によれば、樹脂成形品を成形した後に樹脂成形品の冷却を促進させることができ、樹脂成形品を成形する成形サイクルタイムを短縮させることが可能である。
【００３０】
また更に、本願の請求項１２に係る発明によれば、成形型の構造やその駆動機構等を複雑化させることなく、比較的簡単な構造によって、前記効果を得ることができる。
【発明を実施するための最良の形態】
【００３１】
以下、本発明の実施形態について、添付図面を参照しながら説明する。
図１は、本発明の第１の実施形態に係る樹脂成形品の成形装置を示す概略説明図である。この図に示すように、前記成形装置１は、開閉可能に設けられる成形型１０と、加熱溶融した第１の樹脂をパリソン２０として押し出す押出ヘッド２１と、成形型１０内に加圧流体を供給する加圧流体供給手段としてのブローピン２５と、成形型１０内に第２の樹脂に発泡剤を含有させた発泡性樹脂を注入する注入手段としての射出装置３０と、成形型１０の型面部の型温調整を行う温調手段としての温調装置４０とを備えている。
【００３２】
成形型１０は、固定型１１と可動型１２とによって構成され、固定型１１と可動型１２とを型閉めすることにより、成形型１０内に樹脂成形品の所望形状に応じたキャビティ１６が形成される。可動型１２は、キャビティ１６の一部を規定するコア部１３と、コア部１３と組み合わせられる外周部１４とを備えている。なお、後述するように、成形型１０の外周部１４には、該外周部１４の型面部１４ａの温度を調整するための温調媒体が流通する媒体流路１５が設けられている。
【００３３】
図２は、前記成形装置の可動型を模式的に示す斜視図であり、図２では、外周部１４に対してコア部１３が型開き方向に移動された状態を示している。図２に示すように、可動型１２のコア部１３は、略平板状に形成される板状部１３ａから四角状に突出する突出部１３ｂを備えており、成形型１０の型開閉方向に垂直な方向において突出部１３ｂの外周には、該突出部１３ｂの外周形状に応じて四角枠状に形成された外周部１４が嵌め合わせられている。
【００３４】
可動型１２は、固定型１１に対してコア部１３と外周部１４とが一体的に型開閉方向に移動可能に構成されるとともに、固定型１１と可動型１２とを型閉めした後に、可動型１２の外周部１４と固定型１１とを型閉めした状態において、成形型１０のキャビティ１６の容積を拡大させるように可動型１２のコア部１３のみを型開き方向に移動可能に構成されている。
【００３５】
ブローピン２５は、加圧流体供給源（不図示）から供給される加圧流体として圧縮空気などの加圧気体を成形型１０内に供給して、成形型１０内を所定の圧力に保持することができるようになっている。また、ブローピン２５は、該ブローピン２５を成形型１０内に挿入した状態で成形型１０内の空気を排気できるようになっている。成形型１０の固定型１１には、ブローピン２５を挿通させるための挿通孔２６が設けられ、ブローピン２５は、挿通孔２６内で進退動可能に構成されている。
【００３６】
射出装置３０は、発泡性樹脂３１を成形型１０内に注入するものであり、第２の樹脂３２を混錬溶融させるシリンダ３３を備えている。シリンダ３３の内部にはスクリュー３４が備えられ、スクリュー３４の後端には、スクリュー駆動機構及び射出機構（共に不図示）が連結されている。
【００３７】
射出装置３０では、シリンダ３３の周囲に設けられた加熱ヒータ（不図示）とスクリュー３４とによって、シリンダ３３に投入された第２の樹脂３２を順次加熱するとともに混錬溶融させる。そして、混錬溶融された第２の樹脂３２に対し、二酸化炭素又は窒素等の不活性ガスを含むボンベ３５から超臨界流体発生装置３６を介して超臨界状態にされた前記不活性ガスが、超臨界流体注入装置３７によって注入される。これにより、第２の樹脂３２に発泡剤を含有させた発泡性樹脂３１が形成される。
【００３８】
発泡性樹脂３１は、スクリュー３４が前記スクリュー駆動機構によって回転されるとともに前記射出機構によって射出されることによって成形型１０内に注入される。成形型１０、具体的には固定型１１には、射出装置３０のノズル３８に連通され、発泡性樹脂３１を成形型１０内に注入するための注入経路１７が設けられている。
【００３９】
温調装置４０は、成形型１０の型温調整を行うものであり、図１に示すように、温水供給装置４１と冷水供給装置４２とを備えている。温水供給装置４１は、温調媒体供給源（不図示）から供給される温調媒体としての水を所定温度に温めて温水として供給できるようになっており、冷水供給装置４２は、前記温調媒体供給源から供給される温調媒体としての水を冷却して所定温度の冷水として供給できるようになっている。なお、図１では、可動型１２の外周部１４の型温調整を行う温調装置４０のみが示されているが、可動型１２のコア部１３及び固定型１１にもそれぞれ、該コア部１３及び固定型１１の型面部の温度調整を行うための温調媒体を備えた温調手段が設けられている。
【００４０】
温水供給装置４１には、温水供給ホース４３と温水排出ホース４４とが接続され、冷水供給装置４２には、冷水供給ホース４５と冷水排出ホース４６とが接続されている。また、温水供給ホース４３と冷水供給ホース４５とはともに給水切換弁４７に連結され、温水排出ホース４４と冷水排出ホース４６とはともに排水切換弁４８に連結されている。
【００４１】
前述したように、可動型１２の外周部１４には、該外周部１４の型面部１４ａを所定温度に調整するために温水や冷水が流通する媒体流路１５が設けられており、この媒体流路１５には、該媒体流路１５内に温水又は冷水を供給するための給水ホース４９と、該媒体流路１５から温水又は冷水を排出するための排水ホース５０とが連結されている。
【００４２】
給水ホース４９は、その一端が媒体流路１５に連結されるとともに、その他端が給水切換弁４７に連結されており、給水切換弁４７は、給水ホース４９に対する温水供給ホース４３又は冷水供給ホース４５の連通を選択的に切り換えることができるとともに、それらの連通を遮断できるようになっている。
【００４３】
一方、排水ホース５０は、その一端が媒体流路１５に連結されるとともに、その他端が排水切換弁４８に連結されており、排水切換弁４８は、排水ホース５０に対する温水排出ホース４４又は冷水排出ホース４６の連通を選択的に切り換えることができるとともに、それらの連通を遮断できるようになっている。
【００４４】
温調装置４０では、成形型１０内の媒体流路１５に温水を供給する場合、給水切換弁４７によって温水供給ホース４３と給水ホース４９とが連通させられ、排水切換弁４８によって排水ホース５０と温水排出ホース４４とが連通させられ、温水供給装置４１からの温水が、温水供給ホース４３、給水ホース４９、媒体流路１５、排水ホース５０及び温水排出ホース４４を通じて流通させられる。
【００４５】
一方、成形型１０内の媒体流路１５に冷水を供給する場合、給水切換弁４７によって冷水供給ホース４５と給水ホース４９とが連通させられ、排水切換弁４８によって排水ホース５０と冷水排出ホース４６とが連通させられ、冷水供給装置４２からの冷水が、冷水供給ホース４５、給水ホース４９、媒体流路１５、排水ホース５０及び冷水排出ホース４６を通じて流通させられる。
【００４６】
また、前記成形装置１は、該成形装置１を総合的に制御する制御ユニット（不図示）を備えており、該制御ユニットは、成形型１０の開閉駆動、成形型１０のコア部１３の型開き方向への移動機構、押出ヘッド２１のパリソン押出機構、ブローピン２５の作動機構、ブローピン２５からの加圧流体供給機構、射出装置３０の発泡性樹脂３１の注入機構、温調装置４０の作動等の制御を行う。前記制御ユニットには、タイマ（不図示）が備えられており、後述する図１０及び図１１に示すように、前記制御ユニットは、パリソン２０が垂下されるときからの時間に応じて、温水及び冷水の切換タイミングを調整し、成形型１０の型面部１４ａを所定温度に設定するように温調装置４０の作動を制御する。
【００４７】
前記制御ユニットは、外周部１４の型面部１４ａを所定温度に加温する場合、外周部１４の型面部１４ａの温度を検出する温度センサ（不図示）の検出値に基づいて温水供給装置４１から供給する温水の温度を設定するとともに給水切換弁４７や排水切換弁４８の開閉動作を制御し、外周部１４の型面部１４ａを所定温度に冷却する場合、前記温度センサの検出値に基づいて冷水供給装置４２から供給する冷水の温度を設定するとともに給水切換弁４７や排水切換弁４８の開閉動作を制御する。なお、前記制御ユニットは、例えばマイクロコンピュータを主要部として構成されている。
【００４８】
次に、前記成形装置１を用いた樹脂成形品の成形について説明する。
先ず、成形型１０が型開きされた状態において、押出ヘッド２１から成形型１０内に、具体的には固定型１１のキャビティ面１１ａと可動型１２のコア部１３のキャビティ面１３ｃとの間に加熱溶融された第１の樹脂からなるパリソン２０が円筒状に垂下される。なお、第１の樹脂としては、例えば熱可塑性樹脂等の非発泡のソリッド樹脂を用いることができる。
【００４９】
そして、固定型１１に対して可動型１２のコア部１３と外周部１４とが一体的に型閉め方向に移動されて成形型１０が型閉めされ、パリソン２０の上端側及び下端側が固定型１１と可動型１２の外周部１４とによって挟み込まれる。これにより、パリソン２０の内部の空間が閉じられてパリソン２０の内部に空間部２２が形成される。そして、その後にパリソン２０の空間部２２内に加圧気体が供給される。
【００５０】
図３は、前記成形装置の成形型内に位置するパリソンに加圧気体が供給された状態を示す概略説明図である。ブローピン２５が前進させられ、ブローピン２５によってパリソン２０の内部の空間部２２に加圧気体が供給され、パリソン２０がブロー成形される。これにより、パリソン２０は、その内部の空間が膨張してキャビティ面１１ａ、１３ｃに押し付けられ、キャビティ面１１ａ、１３ｃに応じた中空のブロー成形体２３が成形される。
【００５１】
図４は、前記成形型内に発泡性樹脂が注入される状態を示す概略説明図である。成形型１０内に垂下されたパリソン２０がブロー成形されると、次に、ブロー成形体２３内の空間部２２に、射出装置３０から第２の樹脂３２に超臨界状態の流体を含有させた発泡性樹脂３１が注入される。なお、第２の樹脂としては、例えばポリプロピレンなどの熱可塑性樹脂などを用いることができる。
【００５２】
射出装置３０からブロー成形体２３内の空間部２２への発泡性樹脂３１の注入機構について、図５〜図７を参照して説明する。
図５〜図７は、射出装置３０からブロー成形体２３内の空間部２２へ発泡性樹脂３１が注入される工程を順に表しており、図４のＡ部について拡大して示している。図５は、前記注入経路に設けられた第１の弁体及び第２の弁体が閉じた状態を示す説明図、図６は、前記注入経路に設けられた前記第１の弁体が開き前記第２の弁体が閉じた状態を示す説明図、図７は、前記注入経路に設けられた前記第１の弁体及び前記第２の弁体が開いた状態を示す説明図である。
【００５３】
図５に示すように、固定型１１に設けられる注入経路１７は、キャビティ面１１ａに形成される凹部１１ｂと連通され、該凹部１１ｂの底側に第１の弁体５１が備えられている。第１の弁体５１は、ロッド５２を介して駆動シリンダ５３に連結され、駆動シリンダ５３を作動させることにより上下方向に移動可能に構成されている。注入経路１７は、この第１の弁体５１が上方へ移動されることで閉じられる。また、注入経路１７には、該注入経路１７を開閉し、水平方向に移動可能に構成される第２の弁体５４が備えられている。これにより、注入経路１７では、第１の弁体５１及び第２の弁体５４が開いた状態において、発泡性樹脂３１が成形型１０内に注入可能となる。
【００５４】
図５に示すように、第１の弁体５１及び第２の弁体５４がそれぞれ注入経路１７を閉じた状態で、パリソン２０内の空間部２２に加圧気体が供給されてパリソン２０がキャビティ面１１ａに押し付けられる際には、凹部１１ｂにおいても、その表面にパリソン２０が断面コ字状に押し付けられるが、この部分ではパリソン２０の厚さが薄く成形される。
【００５５】
そして、図６に示すように、駆動シリンダ５３を作動させて第１の弁体５１を下方側へ移動させた後に、ブローピン２５を介して加圧気体が供給され空間部２２の圧力が高められると、凹部１１ｂ内に断面コ字状に成形されたパリソン２０が、その底部２０ａにおいて開口させられる。
【００５６】
次に、第２の弁体５４が注入経路１７を開くように移動され、空間部２２と注入経路１７とが連通された後に、図７に示すように、発泡性樹脂３１が、射出装置３０から空間部２２内に注入される。なお、図５〜図７は、パリソン２０がブロー成形されて形成される中空のブロー成形体２３の内部への発泡性樹脂の注入の一例を示したものであり、その他の好適な手段によって発泡性樹脂３１を注入するようにしてもよい。
【００５７】
このようにして、発泡性樹脂３１がブロー成形体２３内に注入される際には、発泡性樹脂３１の注入に伴って、ブロー成形体２３の空間部２２内の空気がブローピン２５を通じて排出される。ブロー成形体２３内に発泡性樹脂３１が充填されると、ブローピン２５が後退させられ、次に、固定型１１と可動型１２の外周部１４とを型閉めした状態で、成形型１０のキャビティ１６の容積を拡大させるように成形型１０のコア部１３のみを型開き方向に移動させる。これにより、発泡性樹脂３１の発泡を促進させ、ブロー成形体２３を膨張させる。
【００５８】
図８は、前記成形型内に注入された発泡性樹脂が発泡成形された状態を示す概略説明図である。この図に示すように、成形装置１では、成形型１０のキャビティ１６の容積を拡大するように、成形型１０のコア部１３が型開き方向に、すなわち矢印Ｘ１の方向に所定量移動されることにより、発泡性樹脂３１の発泡が促進されブロー成形体２３が膨張される。そして、溶融状態にある発泡性樹脂３１が冷却されて固化し、ブロー成形体２３の内部に発泡性樹脂３１を注入して発泡させるようにした樹脂成形品２４が成形される。
【００５９】
このように、ブロー成形体２３の内部に発泡性樹脂３１を注入した後に、成形型１０のキャビティ１６の容積を拡大するように成形型１０のコア部１３を型開き方向に移動させて樹脂成形品２４を成形する場合、ブロー成形体２３が成形型１０によって冷却され、コア部１３を型開き方向に移動させる際にブロー成形体２３が型開き方向に延伸されず、ブロー成形体２３の膨張が妨げられて、例えばコーナ部のダレなどの外観不良等の問題が生じる場合があるが、本実施形態では、成形型１０の型面部の温度を好適に調整することでかかる問題を回避する。
【００６０】
図９は、図８のＢ部を拡大して示した断面説明図である。前記のように、成形型１０のキャビティ１６の容積を増大させるように成形型１０のコア部１３を型開き方向に移動させると、ブロー成形体２３が型開き方向に膨張され、コア部１３のキャビティ面１３ｃに、具体的にはキャビティ面１３ｃの周縁部１３ｄ近傍に位置するブロー成形体２３が延伸させられる。
【００６１】
温調装置４０は、コア部１３を型開き方向に移動してブロー成形体２３を膨張させる際に、ブロー成形体２３の膨張に伴って該ブロー成形体２３の延伸される部分２３ａに対応する成形型１０の型面部、具体的には、ブロー成形体２３の延伸される部分２３ａに隣接する外周部１４の型面部１４ａを、成形型１０の他の型面部、例えば可動型１２のコア部１３のキャビティ面１３ｃや固定型１１のキャビティ面１１ａより高い温度に設定するように前記制御手段によって制御される。
【００６２】
具体的には、温調装置４０は、コア部１３を移動してブロー成形体２３を膨張させる際に、ブロー成形体２３の膨張に伴ってブロー成形体２３の延伸される部分２３ａに対応する成形型１０の型面部１４ａの温度調整を行う温調媒体としての温水の温度を、成形型１０の他の型面部１１ａ、１３ｃの温度調整を行う温調媒体の温度より高い温度に設定するようにその作動が前記制御手段によって制御される。このようにして、比較的簡単な構造によってブロー成形体の延伸される部分に対応する成形型の型面部の温度調整を行うことが可能である。なお、外周部１４の型面部１４ａは、コア部１３の型開き方向への移動に伴って新たにキャビティ面となる型面部だけでなく、前記キャビティ面近傍の型面部も含むものとする。
【００６３】
図１０は、前記温調装置において温水と冷水との切換タイミングを示すパターン図である。この図に示すように、温調装置４０では、前記制御ユニットによって媒体流路１５内に供給する温水と冷水の切換が行われる。前記のように、成形型１０のコア部１３を型開き方向に所定量移動（コアバック）してブロー成形体２３を膨張させる際には、外周部１４が温水によって加温され、外周部１４の型面部１４ａは、成形型１０の他の型面部、例えばキャビティ面１１ａ、１３ｃより高い温度に設定される。
【００６４】
このように、成形型１０のコア部１３を型開き方向に移動してブロー成形体２３を膨張させる際に、外周部１４の型面部１４ａを、成形型１０の他の型面部より高い温度に設定することで、ブロー成形体２３の延伸される部分２３ａが冷却固化されることを抑制することができ、ブロー成形体２３の延展性を維持することができる。
【００６５】
また、コア部１３の型開き方向への移動前においても外周部１４の型面部１４ａは、成形型１０の他の型面部１１ａ、１３ｃより高い温度に設定される。すなわち、パリソン２０を挟んで成形型１０を型閉めする型閉め時から、パリソン２０がブロー成形され、そのブロー成形体２３の内部に発泡性樹脂３１が注入され、その後に成形型１０のコア部１３を型開き方向に移動させたコア移動終了時まで、外周部１４が温水によって加温され、外周部１４の型面部１４ａは、成形型１０の他の型面部、例えばキャビティ面１１ａ、１３ｃより高い温度に設定される。なお、外周部１４の型面部１４ａは、例えば８０℃の温度に設定され、コア部１３のキャビティ面１３ｃや固定型１１のキャビティ面１１ａは、例えば６０℃に設定される。
【００６６】
このように、成形型１０の型閉め時からコア部１３を移動したコア移動終了時までの間、外周部１４の型面部１４ａを、成形型１０の他の型面部１１ａ、１３ｃより高い温度に設定することで、コア部１３を型開き方向に移動させる前においても、ブロー成形体２３の膨張に伴ってブロー成形体２３の延伸される部分２３ａが冷却固化されることを抑制することができる。
【００６７】
一方、コア移動終了時から、成形型１０が型開きされた後に樹脂成形品２４が成形型１０から取り出される成形品脱型時までは、外周部１４が冷水によって冷却され、外周部１４の型面部１４ａは、型閉め時からコア移動終了時までの間における外周部１４の型面部１４ａの温度より低い温度に設定される。なお、外周部１４の型面部１４ａは、例えば５０℃の温度に設定され、コア部１３のキャビティ面１３ｃや固定型１１のキャビティ面１１ａは、例えば６０℃に設定される。
【００６８】
このように、コア移動終了時から成形品脱型時までの間、外周部１４の型面部１４ａを、型閉め時からコア移動終了時までの間の型面部１４ａの温度より低い温度に設定することで、樹脂成形品２４を成形した後に樹脂成形品２４の冷却を促進させることができ、樹脂成形品２４を成形する成形サイクルタイムを短縮させることが可能である。
【００６９】
樹脂成形品２４においては、ブロー成形体２３の延伸される部分２３ａはその肉厚が薄く成形されることとなるが、この薄肉化された部分２３ａを介して発泡性樹脂３１が冷却されるので、この部分２３ａの内側では、発泡性樹脂３１が急速に冷却固化されたスキン層を厚く形成することができ、ブロー成形体２３の薄肉化された部分２３ａの強度が弱くなることを抑制することができる。
【００７０】
また、図１０に示すように、パリソン２０が成形型１０内に垂下される際には、外周部１４は冷水によって冷却されている。図１０では、パリソンの垂下から型閉じ時における冷水から温水への切換タイミング調整域が示されているが、この切換タイミング調整域は、樹脂の温度特性、樹脂温度、成形型の温度などに応じて、その調整域内で切換タイミングが調整可能であることを示している。コア移動終了後における温水から冷水への切換タイミング調整域についても、樹脂の温度特性、樹脂温度、成形型の温度、パリソンの肉厚や材料、コア部の型開き方向への移動量などに応じて、その調整域内で切換タイミングが調整可能であることを示している。
【００７１】
図１１は、前記温調装置において温水と冷水との切換タイミングを示す別のパターン図である。この図に示すように、温調装置４０は、パリソン２０が成形型１０内に垂下されるときから、樹脂成形品２４が成形型１０から取り出される成形品脱型時までの間を通じて、外周部１４が温水によって加温され、外周部１４の型面部１４ａは、成形型１０の他の型面部、例えばキャビティ面１１ａ、１３ｃより高い温度に設定されるようにしてもよい。
【００７２】
また、成形装置１では、パリソン２０の空間部２２に発泡性樹脂３１を注入する際に、空間部２２内の空気がブローピン２５を通じて排出されているが、空間部２２を規定するパリソン２０に、空間部２２内の気体を排出する気体排出用穴を設けるようにしてもよい。
【００７３】
図１２は、本発明の第２の実施形態に係る樹脂成形品の成形装置において、該成形装置の成形型内に位置するパリソンに加圧気体が供給された状態を示す概略説明図であり、図１３は、前記成形装置の成形型内に発泡性樹脂が注入される状態を示す概略説明図である。なお、これらの図では、前述した成形装置１と同様の構成を備え、同様の作用をなすものについては同一符号を付し、それ以上の説明は省略する。
【００７４】
第２の実施形態に係る成形装置では、図１２に示すように、成形型６０が型閉じされた状態において、キャビティ面１１ａ、１３ｃによって形成される空間内に突出するようにピン６１が固定型１１に設けられている。このピン６１は、その先端側が先細り形状に形成され、その後端側が可動プレート６２に取り付けられている。該可動プレート６２は、例えば駆動シリンダ等によって、キャビティ面１１ａ、１３ｃによって形成される空間に対して進退動可能に構成されている。
【００７５】
また、成形型６０では、キャビティ面１１ａ、１３ｃによって形成される空間内の気体を排出するための排気経路６４が固定型１１に形成されており、この排気経路６４は、可動プレート６２を前進させることで閉じられ、可動プレート６２を後退させることで開かれるようになっている。
【００７６】
前記のように、パリソン２０の空間部２２に加圧気体が供給されてパリソン２０がキャビティ面１１ａに押し付けられる際には、図１２に示すように、パリソン２０にピン６１が刺さった状態でパリソン２０がキャビティ面１１ａに押し付けられ、パリソン２０には、ピン６１によって気体排出穴２０ｂが形成される。
【００７７】
そして、発泡性樹脂３１が空間部２２内に注入される際には、図１３に示すように、ブローピン２５を後退させるとともに可動プレート６２を後退させる。これにより、発泡性樹脂３１の注入に伴って、空間部２２内の気体を、気体排出穴２０ｂから排気経路６４を通じて排出させることができる。
【００７８】
なお、本実施形態では、発泡剤として超臨界状態にある流体を用いているが、その他の物理発泡材、あるいは化学発泡剤を使用することも可能である。また、成形型の型面部を温調する温調媒体として、水を用いているが、これに限るものではなく、例えば油等のその他の温調媒体を用いることも可能である。
【００７９】
以上の説明から明らかなように、本実施形態においては、樹脂成形品２４を成形する上で、成形型１０のコア部１３を移動してブロー成形体２３を膨張させる際に、外周部１４の型面部１４ａを、成形型１０の他の型面部１１ａ、１３ｃより高い温度に設定することにより、発泡性樹脂３１の発泡を促進させてブロー成形体２３を膨張させることができるとともに、ブロー成形体２３の膨張に伴ってブロー成形体２３の延伸される部分２３ａが成形型１０によって冷却されブロー成形体２３の膨張が妨げられることを抑制することができ、表面性及び物性に優れた樹脂成形品を容易に且つ確実に成形することができる。
【００８０】
また、成形型１０の型閉め時からコア部１３を移動したコア移動終了時までの間、外周部１４の型面部１４ａを、成形型１０の他の型面部より高い温度に設定することにより、成形型１０のコア部１３を型開き方向に移動させる前においても、ブロー成形体２３の膨張に伴ってブロー成形体２３の延伸される部分２３ａが冷却されることを抑制することができ、前記効果をより有効に奏することができる。
【００８１】
更に、発泡性樹脂３１に、物理発泡剤が含有されていることにより、発泡セル径の微細な樹脂成形品を成形することができ、樹脂成形品において曲げ剛性等の物性をさらに向上させることができる。
【００８２】
また更に、物理発泡剤が、超臨界状態の流体であることにより、さらに微細な発泡セルを有する樹脂成形品を成形することができ、前記効果をさらに有効に奏することができる。
【００８３】
また更に、本実施形態に係る成形装置１では、成形型の構造やその駆動機構等を複雑化させることなく、比較的簡単な構造によって、前記効果を得ることができる。
【００８４】
なお、樹脂成形品２４の成形に際し、発泡性樹脂３１にさらに、該発泡性樹脂３１を補強する補強繊維を含有させるようにしてもよい。このように、発泡性樹脂３１に補強繊維を含有させることで、繊維のスプリングバック現象によって発泡性樹脂の発泡をさらに促進させることが可能である。補強繊維が含有された発泡性樹脂を用いて成形する場合においても、樹脂成形品の表面に補強繊維が露出して表面外観を悪化させることがなく、表面性の良好な樹脂成形品を得ることができる。
【００８５】
図１４は、本発明の第３の実施形態に係る樹脂成形品の成形装置において、該成形装置の成形型内に発泡性樹脂が注入される状態を示す概略説明図であり、図１５は、前記成形型内に注入された発泡性樹脂が発泡成形された状態を示す概略説明図である。なお、これらの図では、前述した成形装置１と同様の構成を備え、同様の作用をなすものについては同一符号を付し、それ以上の説明は省略する。
【００８６】
図１４に示すように、第３の実施形態に係る成形装置７０では、成形型８０の型温調整を行うための温調装置９０が，成形装置１の温水供給装置４１に代えて、成形型８０の型面部を加熱する加熱手段として可動型８２の外周部８４に設けられた加熱ヒータ８５を有する加熱装置９１を備えるとともに、冷水供給装置９２を備えている。加熱装置９１は、可動型８２の外周部８４に組み込まれた加熱ヒータ８５に接続され、加熱ヒータ８５によって外周部８４の型面部８４ａを所定温度に加熱できるようになっている。
【００８７】
冷水供給装置９２は、前記温調媒体供給源から供給される温調媒体としての水を冷却して所定温度の冷水として供給できるようになっている。なお、可動型８２の外周部８４には、温調媒体としての冷水が流通する媒体流路（不図示）が設けられ、この媒体流路には、給水ホース９７と排水ホース９８とが連結されている。
【００８８】
冷水供給装置９２には、冷水供給ホース９３と冷水排出ホース９４とが連結され、冷水供給ホース９３と給水ホース９７との間に給水開閉弁９５が設けられ、冷水排出ホース９４と排水ホース９８との間には排水開閉弁９６が設けられている。給水開閉弁９５は、冷水供給ホース９３と給水ホース９７との間の連通又は遮断が可能に構成されている。また、排水開閉弁９６は、冷水排出ホース９４と排水ホース９８との間の連通又は遮断が可能に構成されている。
【００８９】
温調装置９０では、加熱装置９１を作動させることにより、外周部８４の型面部８４ａを所定温度に加熱することができ、冷水供給装置４１を作動させることにより、外周部８３の型面部８４ａを所定温度に冷却することができるようになっている。なお、加熱装置９１及び冷水供給装置９２の作動は、前記制御ユニットによって制御される。
【００９０】
成形装置７０においても、図１４に示すように、パリソン２０がブロー成形され、そのブロー成形体２３の内部に発泡性樹脂３１が注入される際には、外周部８４の型面部８４ａが、加熱ヒータ８５によって加熱される。また、成形型８０のコア部１３を型開き方向に移動してブロー成形体２３を膨張させる際にも、ブロー成形体２３の膨張に伴って該ブロー成形体２３の延伸される部分２３ａに対応する外周部８４の型面部８４ａが、加熱ヒータ８５によって加熱され、成形型８０の他の型面部、例えばキャビティ面１１ａ、１３ｃより高い温度に加熱される。なお、加熱ヒータ８５によって加熱される際には、給水開閉弁９５及び排水開閉弁９６が閉じられ、冷却供給装置９２による冷水の供給が停止させられている。
【００９１】
一方、図１５に示すように、コア部１３が移動されたコア移動終了時から、成形型８０が型開きされた後に樹脂成形品２４が成形型８０から取り出される成形品脱型時までは、加熱装置９１によって加熱ヒータ８５の電源がオフ状態にされるとともに、冷水供給装置９２によって外周部８４の型面部８４ａが冷水により冷却され、外周部８４の型面部８４ａは、型閉め時からコア移動終了時までの間における外周部８４の型面部８４ａの温度より低い温度に設定される。
【００９２】
このように、温調装置９０は、ブロー成形体２３の延伸される部分２３ａに対応する成形型８４の型面部８４ａを、成形型８０の他の型面部１１ａ、１３ｃより高い温度に加熱する加熱手段８５を備えていることにより、比較的簡単な構造によってブロー成形体２３の延伸される部分２３ａに対応する成形型８０の型面部８４ａの温度調整を行うことができ、前記実施形態と同様の効果を奏することができる。
【００９３】
なお、温調装置４０における温水供給装置４１及び冷水供給装置４２、あるいは温調装置９０における冷水供給装置９２において、成形型の型面部を所定温度に温調するために、温水や冷水を連続的に供給するものであっても、間欠的に供給するものであってもよい。
【００９４】
本実施形態では、成形型１０のコア部１３が型開き方向に移動してブロー成形体２３を膨張させ、ブロー成形体２３の延伸される部分２３ａに隣接する外周部１４の型面部１４ａが温調手段によって温調されているが、成形型のキャビティの容積を拡大するように成形型のコア部を移動してブロー成形体を膨張させる際に、該コア部の移動に伴ってブロー成形体の延伸される部分に隣接する成形型の型面部を、成形型の他の型面部より高い温度にする温調手段を備えたその他の成形型を用いることが可能である。
【００９５】
以上のように、本発明は、例示された実施形態に限定されるものではなく、本発明の要旨を逸脱しない範囲において、種々の改良及び設計上の変更が可能であることは言うまでもない。
【産業上の利用可能性】
【００９６】
本発明は、ブロー成形体の内部に発泡性樹脂を注入し発泡させるようにした樹脂成形品の成形に関するものであり、例えば車体に組みつけられるトランクボードなどの樹脂成形品の成形に好適に適用可能である。
【図面の簡単な説明】
【００９７】
【図１】本発明の第１の実施形態に係る樹脂成形品の成形装置を示す概略説明図である。
【図２】前記成形装置の可動型を模式的に示す斜視図である。
【図３】前記成形装置の成形型内に位置するパリソンに加圧気体が供給された状態を示す概略説明図である。
【図４】前記成形型内に発泡性樹脂が注入される状態を示す概略説明図である。
【図５】前記注入経路に設けられた第１の弁体及び第２の弁体が閉じた状態を示す説明図である。
【図６】前記注入経路に設けられた前記第１の弁体が開き前記第２の弁体が閉じた状態を示す説明図である。
【図７】前記注入経路に設けられた前記第１の弁体及び前記第２の弁体が開いた状態を示す説明図である。
【図８】前記成形型内に注入された発泡性樹脂が発泡成形された状態を示す概略説明図である。
【図９】図８のＢ部を拡大して示した断面説明図である。
【図１０】前記温調装置において温水と冷水との切換タイミングを示すパターン図である。
【図１１】前記温調装置において温水と冷水との切換タイミングを示す別のパターン図である。
【図１２】本発明の第２の実施形態に係る樹脂成形品の成形装置において、該成形装置の成形型内に位置するパリソンに加圧気体が供給された状態を示す概略説明図である。
【図１３】前記成形装置の成形型内に発泡性樹脂が注入される状態を示す概略説明図である。
【図１４】本発明の第３の実施形態に係る樹脂成形品の成形装置において、該成形装置の成形型内に発泡性樹脂が注入される状態を示す概略説明図である。
【図１５】前記成形型内に注入された発泡性樹脂が発泡成形された状態を示す概略説明図である。
【符号の説明】
【００９８】
１、７０  成形装置
１０、６０、８０  成形型
１１  固定型
１２、８２  可動型
１３  コア部
１４、８４  外周部
１６  キャビティ
２０  パリソン
２１  押出ヘッド
２３  ブロー成形体
２４  樹脂成形品
２５  ブローピン
３０  射出装置
３１  発泡性樹脂
４０、９０  温調装置
４１  温水供給装置
４２、９２  冷水供給装置
９１  加熱装置
【図１】
2008155401.tif 000003
【図２】
2008155401.tif 000004
【図３】
2008155401.tif 000005
【図４】
2008155401.tif 000006
【図５】
2008155401.tif 000007
【図６】
2008155401.tif 000008
【図７】
2008155401.tif 000009
【図８】
2008155401.tif 000010
【図９】
2008155401.tif 000011
【図１０】
2008155401.tif 000012
【図１１】
2008155401.tif 000013
【図１２】
2008155401.tif 000014
【図１３】
2008155401.tif 000015
【図１４】
2008155401.tif 000016
【図１５】
2008155401.tif 000017